(57)【要約】【課題】利便性の高い通信装置、測定装置、及び管理装置を提供する。【解決手段】通信装置は、管理装置と有線及び無線の少なくとも一方によって通信する。通信装置は、送信部と、受信部と、制御部と、を備える。送信部は、第１情報取得器から供給された被検者の第１情報を管理装置に送信する。受信部は、管理装置から第１情報の認証の成功に応じて送信される認証済み情報を受信する。制御部は、認証済み情報が受信されると、認証済み情報を第２情報取得器に供給するように制御する。【選択図】図１
2020123067.tif 000002
【特許請求の範囲】
【請求項１】
管理装置と有線及び無線の少なくとも一方によって通信する通信装置であって、
第１情報取得器から供給された被検者の第１情報を前記管理装置に送信する送信部と、
前記管理装置から前記第１情報の認証の成功に応じて送信される認証済み情報を受信する受信部と、
前記認証済み情報が受信されると、当該認証済み情報を第２情報取得器に供給するように制御する制御部と、
を備える、通信装置。
【請求項２】
前記認証済み情報は、
前記第１情報の認証の成功を通知する認証成功通知、
前記第２情報取得器が被検者の生体情報である第２情報を取得することを許可する取得許可通知、
前記第１情報の認証の成功を示す情報を当該第１情報に付加した認証済み第１情報、及び、
前記第１情報の認証に応じて送信される識別情報のうち、少なくとも１つを含む、請求項１に記載の通信装置。
【請求項３】
前記第１情報取得器及び前記第２情報取得器の少なくとも一方を備える、請求項１又は２に記載の通信装置。
【請求項４】
前記第１情報は、前記被検者の生体情報であって、前記第２情報とは異なる情報である、請求項１から３のいずれかに記載の通信装置。
【請求項５】
通信装置と有線及び無線の少なくとも一方によって通信する測定装置であって、
前記通信装置から被検者の第１情報の認証の成功に応じて送信される認証済み情報を受信する受信部と、
前記被検者の生体情報である第２情報を取得する第２情報取得器と、
前記第２情報取得器が取得した前記第２情報を前記通信装置に送信する送信部と、
前記認証済み情報が受信されると、前記第２情報を取得して、当該第２情報を前記通信装置に送信するように制御する制御部と、
を備える、測定装置。
【請求項６】
前記制御部は、前記第２情報が取得されると、当該第２情報を前記認証済み情報とともに前記通信装置に送信するように制御する、請求項５に記載の測定装置。
【請求項７】
前記第１情報は、前記被検者の生体情報であって、前記第２情報とは異なる情報である、請求項５又は６に記載の測定装置。
【請求項８】
通信装置と有線及び無線の少なくとも一方によって通信する管理装置であって、
前記通信装置から被検者の第１情報及び当該被検者の生体情報である第２情報を受信する受信部と、
前記第１情報と予め登録されたユーザの情報に含まれる情報との認証を行う認証部と、
前記認証に応じて前記通信装置に認証済み情報を送信する送信部と、
前記認証済み情報を送信した後に、前記第２情報を受信すると、前記予め登録されたユーザの情報と、前記第２情報とを関連付けるように制御する制御部と、
を備える、管理装置。
【請求項９】
前記受信部は、前記通信装置を介して第１情報取得器から前記第１情報を受信し、前記通信装置を介して第２情報取得器から前記第２情報を受信する、請求項８に記載の管理装置。
【請求項１０】
前記認証部は、前記第１情報の認証の成功に応じて、当該第１情報を含む認証済み情報を生成する、請求項８又は９に記載の管理装置。
【請求項１１】
前記第１情報は、前記被検者の生体情報であって、前記第２情報とは異なる情報である、請求項８から１０のいずれかに記載の管理装置。
【発明の詳細な説明】
【技術分野】
【０００１】
本開示は、通信装置、測定装置、及び管理装置に関する。
【背景技術】
【０００２】
従来、測定装置によって測定したデータをサーバに収集するシステムが知られている。例えば、特許文献１は、携帯電話機及びユーザ端末の生体センサによる測定値をサーバ装置に送信する健康管理システムを開示している。
【先行技術文献】
【特許文献】
【０００３】
【特許文献１】特開２００５−１９０１４９号公報
【発明の概要】
【発明が解決しようとする課題】
【０００４】
従来のシステムにおいて、例えばモノのインターネット（Internet of Things（ＩｏＴ））の技術の普及などに伴い、利便性の向上が求められている。
【０００５】
本開示の目的は、利便性の高い通信装置、測定装置、及び管理装置を提供することにある。
【課題を解決するための手段】
【０００６】
一実施形態に係る通信装置は、管理装置と有線及び無線の少なくとも一方によって通信する。
前記通信装置は、送信部と、受信部と、制御部と、を備える。
前記送信部は、第１情報取得器から供給された被検者の第１情報を前記管理装置に送信する。
前記受信部は、前記管理装置から前記第１情報の認証の成功に応じて送信される認証済み情報を受信する。
前記制御部は、前記認証済み情報が受信されると、当該認証済み情報を第２情報取得器に供給するように制御する。
【０００７】
一実施形態に係る測定装置は、通信装置と有線及び無線の少なくとも一方によって通信する。
前記測定装置は、受信部と、第２情報取得器と、送信部と、制御部と、を備える。
前記受信部は、前記通信装置から被検者の第１情報の認証の成功に応じて送信される認証済み情報を受信する。
前記第２情報取得器は、前記被検者の生体情報である第２情報を取得する。
前記送信部は、前記第２情報取得器が取得した前記第２情報を前記通信装置に送信する。
前記制御部は、前記認証済み情報が受信されると、前記第２情報を取得して、当該第２情報を前記通信装置に送信するように制御する。
【０００８】
一実施形態に係る管理装置は、通信装置と有線及び無線の少なくとも一方によって通信する。
前記管理装置は、受信部と、認証部と、送信部と、制御部と、を備える。
前記受信部は、前記通信装置から被検者の第１情報及び当該被検者の生体情報である第２情報を受信する。
前記認証部は、前記第１情報と予め登録されたユーザの情報に含まれる情報との認証を行う。
前記送信部は、前記認証に応じて前記通信装置に認証済み情報を送信する。
前記制御部は、前記認証済み情報を送信した後に、前記第２情報を受信すると、前記予め登録されたユーザの情報と、前記第２情報とを関連付けるように制御する。
【発明の効果】
【０００９】
本開示の一実施形態によれば、利便性の高い通信装置、測定装置、及び管理装置を提供することができる。
【図面の簡単な説明】
【００１０】
【図１】一実施形態に係る通信システムの構成を説明する図である。
【図２】一実施形態に係る認証装置の概略構成例を示すブロック図である。
【図３】一実施形態に係る測定装置の概略構成例を示すブロック図である。
【図４】一実施形態に係る通信装置の概略構成例を示すブロック図である。
【図５】一実施形態に係る管理装置の概略構成例を示すブロック図である。
【図６】一実施形態に係る通信システムにおける処理を説明するフロー図である。
【図７】一実施形態に係る通信システムにおける他の処理を説明するフロー図である。
【図８】一実施形態に係る通信システムにおける他の処理を説明するフロー図である。
【発明を実施するための形態】
【００１１】
以下、一実施形態について、図面を参照して説明する。
【００１２】
図１は、一実施形態に係る通信システムの構成を説明する図である。一実施形態に係る通信システムは、例えば、ユーザの健康状態の把握及び／又は管理などを用途に含むものとしてよい。一実施形態に係る通信システムは、ユーザの健康状態を把握及び／又は管理などするため、例えば各ユーザについて、少なくとも１項目、好適には複数項目の生体情報を取得してよい。各ユーザについて例えば複数項目の生体情報が取得されると、一実施形態に係る通信システムは、各ユーザのうち認証されたユーザのみについて、検出された複数項目の生体情報を管理する。このような動作を反復して行うことにより、一実施形態に係る通信システムは、認証されたユーザそれぞれの健康状態を、適切に把握及び／又は管理することができる。以下、一実施形態に係る通信システムのユーザは、適宜「被検者」とも記す。
【００１３】
一実施形態に係る通信システムが利用される場面として想定されるのは、例えば、会社、病院、及び老人ホームなどのような、社会活動を行うユーザが使用する特定の施設などとしてよい。例えば、会社であれば従業員などの健康状態の把握及び／又は管理は、極めて重要である。同様に、病院であれば患者及び医療従事者など、また老人ホームであれば入居者及びスタッフなどの健康状態の把握及び／又は管理は、極めて重要である。一実施形態に係る通信システムが利用される場面は、上述の、会社、病院、及び老人ホームなどに限定されず、ユーザの健康状態の把握及び／又は管理などが望まれる任意の施設としてよい。任意の施設は、例えば、ユーザの自宅などの非商業施設も含んでもよい。
【００１４】
図１に示すように、一実施形態に係る通信システム１は、認証装置１０、測定装置２０、通信装置３０、及び管理装置４０を含んでよい。図１に示す通信システム１は、一例として、認証装置１０Ａ、認証装置１０Ｂ、及び認証装置１０Ｃを含んでいる。以下、認証装置１０Ａ、認証装置１０Ｂ、及び認証装置１０Ｃのそれぞれを特に区別しない場合、適宜、「認証装置１０」と総称する。また、図１に示す通信システム１は、一例として、測定装置２０Ａ、測定装置２０Ｂ、及び測定装置２０Ｃを含んでいる。以下、測定装置２０Ａ、測定装置２０Ｂ、及び測定装置２０Ｃのそれぞれを特に区別しない場合、適宜、「測定装置２０」と総称する。また、図１に示す通信システム１は、一例として、通信装置３０Ａ、通信装置３０Ｂ、及び通信装置３０Ｃを含んでいる。以下、通信装置３０Ａ、通信装置３０Ｂ、及び通信装置３０Ｃのそれぞれを特に区別しない場合、適宜、「通信装置３０」と総称する。
【００１５】
認証装置１０は、測定装置２０によって生体情報の測定を行う各ユーザの情報を取得する。認証装置１０は、ユーザ個人を特定する情報を取得するための各種の機器としてよい。例えば、認証装置１０は、ユーザの所有するＩＣカードなどから当該ユーザを特定する情報を取得するカードリーダなどの機器としてよい。また、認証装置１０は、ユーザの指紋、静脈、虹彩、顔などの生体情報を取得する機器としてもよい。一実施形態において、認証装置１０が取得する各ユーザの情報によって、当該ユーザが登録されたユーザであるか否かを判別する。ここで、登録されたユーザとは、例えば通信システム１による健康管理のサービスを希望又は承諾するなどして、当該サービスの提供を受ける者として登録されたユーザとしてよい。したがって、認証装置１０が取得する各ユーザの情報は、ユーザ個人を特定可能な情報とするのが望ましい。このため、認証装置１０が取得する各ユーザの情報は、経時的な変化がほぼ生じないか又は所定の範囲内に収まるような情報とするのが好適である。認証装置１０が取得する各ユーザの情報は、通信装置３０に送信される。
【００１６】
以下、認証装置１０を、適宜、第１情報取得装置１０とも記す。また、認証装置１０（第１情報取得装置１０）が取得する情報を、第１情報とも記す。上述のように、被検者の第１情報とは、被検者の生体情報としてもよいし、生体情報以外の情報であって被検者を特定するもの（例えば従業員番号など）としてもよい。
【００１７】
測定装置２０は、各ユーザの生体情報を取得する。測定装置２０は、各種の生体情報を取得するための測定装置、検査機器、及び診断機器などとしてよい。測定装置２０が取得する各ユーザの生体情報とは、例えば、身長、体重、視力、聴力、血圧、脈拍数、唾液、汗、尿、便、血液に関する情報など、人間又は動物に関する（人間又は動物から得られる）任意の情報としてよい。一実施形態において、測定装置２０が取得する各ユーザの生体情報によって、当該ユーザの健康状態及び疾病の可能性などを判定する。したがって、測定装置２０が取得する各ユーザの情報は、当該ユーザの健康状態及び疾病の可能性などを判定可能な情報とするのが望ましい。このため、測定装置２０が取得する各ユーザの情報は、経時的な変化が生じるような情報とするのが好適である。例えば、測定装置２０が取得する各ユーザの情報は、取得時によって異なり得る情報としてよい。また、測定装置２０が取得する各ユーザの情報は、ユーザの健康状態又は疾病の状態などに応じて変化し得る情報としてもよい。測定装置２０が取得する各ユーザの生体情報は、通信装置３０に送信される。
【００１８】
以下、測定装置２０を、適宜、第２情報取得装置２０とも記す。また、測定装置２０（第２情報取得装置２０）が取得する情報を、第２情報とも記す。上述のように、被検者の第２情報とは、基本的に被検者の生体情報としてよい。
【００１９】
通信装置３０は、例えばＩｏＴユニットなどのような通信装置としてよい。通信装置３０は、対応する認証装置１０が取得した各ユーザの情報を受信する。また、通信装置３０は、対応する測定装置２０が取得した各ユーザの生体情報を受信する。通信装置３０が受信したこれらの情報は、管理装置４０に送信される。
【００２０】
管理装置４０は、例えば管理サーバなどのような情報処理装置としてよい。管理装置４０は、通信装置３０が受信した各ユーザの情報を受信する。管理装置４０は、通信装置３０が受信した各ユーザの第１情報及び第２情報を集約及び／又は蓄積することで、認証されたユーザそれぞれの健康状態を、適切に把握及び／又は管理することができる。例えば、管理装置４０に集約又は蓄積された情報は、例えば所定の医療機関又は医師などに提供されてもよい。
【００２１】
図１に示すように、認証装置１０Ａ、測定装置２０Ａ、及び通信装置３０Ａは、一実施形態に係るサブシステムＡに含まれるものとしてよい。認証装置１０Ｂ、測定装置２０Ｂ、及び通信装置３０Ｂは、一実施形態に係るサブシステムＢに含まれるものとしてよい。認証装置１０Ｃ、測定装置２０Ｃ、及び通信装置３０Ｃは、一実施形態に係るサブシステムＣに含まれるものとしてよい。図１に示す通信システム１は、一例として、サブシステムＡ、サブシステムＢ、及びサブシステムＣの３つのサブシステムを含んでいる。しかしながら、一実施形態において、通信システム１は、１つ以上の任意の数のサブシステムを含んでよい。
【００２２】
図１に示す各サブシステムにおいて、認証装置１０及び測定装置２０は、それぞれ、対応する通信装置３０と、有線及び無線の少なくとも一方によって通信を行うことができる。すなわち、例えばサブシステムＡにおいて、認証装置１０Ａ及び測定装置２０Ａは、それぞれ、対応する通信装置３０Ａと、有線及び無線の少なくとも一方によって通信を行うことができる。また、例えばサブシステムＢにおいて、認証装置１０Ｂ及び測定装置２０Ｂは、それぞれ、対応する通信装置３０Ｂと、有線及び無線の少なくとも一方によって通信を行うことができる。また、例えばサブシステムＣにおいて、認証装置１０Ｃ及び測定装置２０Ｃは、それぞれ、対応する通信装置３０Ｃと、有線及び無線の少なくとも一方によって通信を行うことができる。また、通信装置３０Ａ、通信装置３０Ｂ、及び通信装置３０Ｃは、それぞれ、管理装置４０と、有線及び無線の少なくとも一方によって通信を行うことができる。これらの通信の少なくともいずれかは、例えばインターネットのようなネットワークを介する通信としてもよい。
【００２３】
図１に示す通信システム１において、サブシステムＡ、サブシステムＢ、及びサブシステムＣは、それぞれユーザの第２情報が１項目ずつ取得されるサブシステムとしてよい。以下、サブシステムＡは、ユーザの第２情報として、ユーザの体重に関する情報を取得するものとする。また、サブシステムＢは、ユーザの第２情報として、ユーザの血圧に関する情報を取得するものとする。また、サブシステムＣは、ユーザの第２情報として、ユーザの尿に関する情報を取得するものとする。
【００２４】
例えば、サブシステムＡにおいて、認証装置１０Ａはユーザの第１情報（例えば指紋に関する情報）を取得することにより当該ユーザの認証を行う。また、サブシステムＡにおいて、測定装置２０Ａはユーザの体重を測定することにより、ユーザの第２情報として体重に関する情報を取得する。そして、サブシステムＡにおいて、認証装置１０Ａが取得した第１情報、及び測定装置２０Ａが取得した第２情報は、通信装置３０Ａに供給される。したがって、サブシステムＡにおいて、通信装置３０Ａは、第１情報及び第２情報を管理装置４０に送信することができる。
【００２５】
また、例えば、サブシステムＢにおいて、認証装置１０Ｂはユーザの第１情報（例えば虹彩に関する情報）を取得することにより当該ユーザの認証を行う。また、サブシステムＢにおいて、測定装置２０Ｂはユーザの血圧を測定することにより、ユーザの第２情報として血圧に関する情報を取得する。そして、サブシステムＢにおいて、認証装置１０Ｂが取得した第１情報、及び測定装置２０Ｂが取得した第２情報は、通信装置３０Ｂに供給される。したがって、サブシステムＢにおいて、通信装置３０Ｂは、第１情報及び第２情報を管理装置４０に送信することができる。
【００２６】
また、例えば、サブシステムＣにおいて、認証装置１０Ｃはユーザの第１情報（例えばＩＣカードに記録されたユーザ固有の情報）を取得することにより当該ユーザの認証を行う。また、サブシステムＣにおいて、測定装置２０Ｃはユーザの尿を検査することにより、ユーザの第２情報として尿に関する情報を取得する。そして、サブシステムＣにおいて、認証装置１０Ｃが取得した第１情報、及び測定装置２０Ｂが取得した第２情報は、通信装置３０Ｃに供給される。したがって、サブシステムＣにおいて、通信装置３０Ｃは、第１情報及び第２情報を管理装置４０に送信することができる。
【００２７】
次に、図１に示した認証装置１０、測定装置２０、通信装置３０、及び管理装置４０のそれぞれについて、さらに説明する。
【００２８】
図２は、一実施形態に係る認証装置１０の概略構成例を示すブロック図である。図２に示すように、一実施形態に係る認証装置１０は、制御部１１、受信部１２、送信部１３、記憶部１４、及び第１情報取得器１５を備える。
【００２９】
制御部１１は、認証装置１０の各機能ブロックをはじめとして、認証装置１０の全体を制御及び管理するプロセッサを含む。制御部１１は、例えば所定のプログラムを実行するＣＰＵ（Central Processing Unit）等のプロセッサで構成してよい。一実施形態において、制御部１１は、認証装置１０がユーザの第１情報を取得する動作、及び、認証装置１０が取得したユーザの第１情報を通信装置３０に供給する動作を行うためのプログラムを実行する。制御部１１が実行するプログラムは、例えば記憶部１４等の記憶媒体に格納されてよい。
【００３０】
受信部１２は、通信装置３０と有線及び無線の少なくとも一方によって接続されて、通信装置３０から所定の情報を受信する。受信部１２は、無線接続を行う場合、例えば受信アンテナ及び増幅器などの無線接続に必要な所定の機能部を含んで構成されてよい。また、受信部１２は、有線接続を行う場合、例えば通信装置３０と有線で接続するためのインタフェースなどを含んで構成されてよい。一実施形態において、受信部１２は、通信装置３０から、例えばユーザの第１情報の取得を開始する旨の命令を受信してよい。受信部１２が受信した情報は、制御部１１に供給されてよい。
【００３１】
送信部１３は、通信装置３０と有線及び無線の少なくとも一方によって接続されて、通信装置３０に所定の情報を送信する。送信部１３は、無線接続を行う場合、例えば送信アンテナ及びＲＦ部などの無線接続に必要な所定の機能部を含んで構成されてよい。また、送信部１３は、有線接続を行う場合、例えば通信装置３０と有線で接続するためのインタフェースなどを含んで構成されてよい。一実施形態において、送信部１３は、通信装置３０に、例えば認証装置１０が取得したユーザの第１情報を送信してよい。送信部１３が送信する情報は、制御部１１から供給されてよい。
【００３２】
一実施形態において、受信部１２及び送信部１３は、例えばＢｌｕｅｔｏｏｔｈ（登録商標）、Ｗｉ−Ｆｉ、ＬＴＥ（Long Term Evolution）、又はＬＰＷＡ（Low Power Wide Area）などの種々の通信方式による無線通信を実現してもよい。ＬＰＷＡ方式は、例えば、セルラＬＰＷＡ、ＳＩＧＦＯＸ、又はＬｏＲａＷＡＮである。セルラＬＰＷＡは、３ＧＰＰ（3rd Generation Partnership Project）規格において規定されたｅＭＴＣ（enhanced Machine Type Communications）又はＮＢ−ＩｏＴ（Narrow Band-Internet of Things）であってもよい。また、図２においては、受信部１２及び送信部１３は別々の部材として示してあるが、一実施形態において、認証装置１０は、受信部１２及び送信部１３の機能を有する送受信部を備えてもよい。
【００３３】
記憶部１４は、プログラム及びデータを記憶する。記憶部１４は、半導体記憶媒体、及び磁気記憶媒体等の任意の非一過的（non-transitory）な記憶媒体を含んでよい。記憶部１４は、複数の種類の記憶媒体を含んでよい。記憶部１４は、メモリカード、光ディスク、又は光磁気ディスク等の可搬の記憶媒体と、記憶媒体の読み取り装置との組み合わせを含んでよい。記憶部１４は、ＲＡＭ（Random Access Memory）等の一時的な記憶領域として利用される記憶デバイスを含んでよい。記憶部１４は、各種情報及び／又は認証装置１０を動作させるためのプログラム等を記憶するとともに、ワークメモリとしても機能する。一実施形態において、記憶部１４は、例えば第１情報取得器１５が取得するユーザの第１情報を記憶してよい。また、一実施形態において、記憶部１４は、受信部１２が受信した情報を記憶してもよい。さらに、一実施形態において、記憶部１４は、送信部１３が送信する情報を記憶してもよい。
【００３４】
第１情報取得器１５は、ユーザの第１情報を取得する。上述のように、ユーザの第１情報とは、被検者の生体情報としてもよいし、生体情報以外の情報であって被検者を特定するもの（例えば従業員番号など）としてもよい。すなわち、第１情報取得器１５は、ユーザの所有するＩＣカードなどから当該ユーザ固有の情報を取得するカードリーダなどのような機能部としてもよい。また、第１情報取得器１５は、ユーザによる従業員番号などの入力を検出するテンキー又はタッチパネルなどのような機能部としてもよい。さらに、第１情報取得器１５は、ユーザの指紋、静脈、虹彩、顔などの生体情報を取得する機能部としてもよい。この場合、第１情報取得器１５は、指紋認証（読み取り）装置、静脈認証（読み取り）装置、虹彩認証（読み取り）装置、及び顔認証（例えば輪郭スキャン）装置又はＣＣＤカメラなどのような機能部としてもよい。第１情報取得器１５は、ユーザの第１情報として、ユーザ個人を特定可能な情報、すなわち、各ユーザについて、経時的な変化がほぼ生じないか又は所定の範囲内に収まるような任意の情報を取得してよい。一実施形態において、第１情報取得器１５は、上述したような機能部のうち少なくとも１つを含み、ユーザ固有の情報として、当該ユーザの第１情報を取得する。
【００３５】
一実施形態において、認証装置１０は、図２に示した機能部の全てを備えなくてもよい。例えば、認証装置１０は、簡単な構成として、記憶部１４を備えずに、第１情報取得器１５によって取得された情報をそのまま送信部１３から送信してもよい。
【００３６】
図３は、一実施形態に係る測定装置２０の概略構成例を示すブロック図である。図３に示すように、一実施形態に係る測定装置２０は、制御部２１、受信部２２、送信部２３、記憶部２４、及び第２情報取得器２５を備える。
【００３７】
制御部２１は、測定装置２０の各機能ブロックをはじめとして、測定装置２０の全体を制御及び管理するプロセッサを含む。制御部２１は、例えば所定のプログラムを実行するＣＰＵ（Central Processing Unit）等のプロセッサで構成してよい。一実施形態において、制御部２１は、測定装置２０がユーザの第２情報を取得する動作、及び、測定装置２０が取得したユーザの第２情報を通信装置３０に供給する動作を行うためのプログラムを実行する。制御部２１が実行するプログラムは、例えば記憶部２４等の記憶媒体に格納されてよい。
【００３８】
受信部２２は、通信装置３０と有線及び無線の少なくとも一方によって接続されて、通信装置３０から所定の情報を受信する。受信部２２は、無線接続を行う場合、例えば受信アンテナ及び増幅器などの無線接続に必要な所定の機能部を含んで構成されてよい。また、受信部２２は、有線接続を行う場合、例えば通信装置３０と有線で接続するためのインタフェースなどを含んで構成されてよい。一実施形態において、受信部２２は、通信装置３０から、例えばユーザの第２情報の取得を開始する旨の命令を受信してよい。受信部２２が受信した情報は、制御部２１に供給されてよい。
【００３９】
送信部２３は、通信装置３０と有線及び無線の少なくとも一方によって接続されて、通信装置３０に所定の情報を送信する。送信部２３は、無線接続を行う場合、例えば送信アンテナ及びＲＦ部などの無線接続に必要な所定の機能部を含んで構成されてよい。また、送信部２３は、有線接続を行う場合、例えば通信装置３０と有線で接続するためのインタフェースなどを含んで構成されてよい。一実施形態において、送信部２３は、通信装置３０に、例えば測定装置２０が取得したユーザの第２情報を送信してよい。送信部２３が送信する情報は、制御部２１から供給されてよい。
【００４０】
一実施形態において、受信部２２及び送信部２３は、上述した認証装置１０の受信部１２及び送信部１３と同様に、各種の構成としてよい。
【００４１】
記憶部２４は、上述した認証装置１０の記憶部１４と同様に、各種の構成としてよい。一実施形態において、記憶部２４は、例えば第２情報取得器２５が取得するユーザの第２情報を記憶してよい。また、一実施形態において、記憶部２４は、受信部２２が受信した情報を記憶してもよい。さらに、一実施形態において、記憶部２４は、送信部２３が送信する情報を記憶してもよい。
【００４２】
第２情報取得器２５は、ユーザの第２情報を取得する。上述のように、ユーザの第２情報とは、被検者の生体情報としてよい。第２情報取得器２５は、例えば、ユーザの各種生体情報を電子的に取得可能な任意の機能部としてよい。例えば、第２情報取得器２５は、ユーザの身長を電子的に測定する身長計、ユーザの体重を電子的に測定する体重計、ユーザの血圧を電子的に測定する血圧計などのような機能部としてもよい。また、第２情報取得器２５は、例えばユーザの涙、唾液、血液、尿などのサンプルを採取して所定の検出を行うことにより、当該ユーザの各種生体情報を取得する機能部としてもよい。第２情報取得器２５は、ユーザの第２情報として、ユーザの健康状態又は疾病の状態などを判定し得る生体情報、例えば、各ユーザについて、経時的に変化する任意の生体情報を取得してよい。一実施形態において、第２情報取得器２５は、上述したような機能部のうち少なくとも１つを含み、ユーザ固有の情報として、当該ユーザの第２情報を取得する。また、第２情報取得器２５は、ユーザの第２情報を２項目以上取得できるものとしてもよい。
【００４３】
一実施形態において、測定装置２０は、図３に示した機能部の全てを備えなくてもよい。例えば、測定装置２０は、簡単な構成として、記憶部１４を備えずに、第２情報取得器２５によって取得された情報をそのまま送信部２３から送信してもよい。
【００４４】
図４は、一実施形態に係る通信装置３０の概略構成例を示すブロック図である。上述のように、一実施形態に係る通信装置３０は、例えばＩｏＴユニットなどのような通信装置としてよい。図４に示すように、一実施形態に係る通信装置３０は、制御部３１、受信部３２、送信部３３、及び記憶部３４を備える。
【００４５】
制御部３１は、通信装置３０の各機能ブロックをはじめとして、通信装置３０の全体を制御及び管理するプロセッサを含む。制御部３１は、例えば所定のプログラムを実行するＣＰＵ（Central Processing Unit）等のプロセッサで構成してよい。一実施形態において、制御部３１は、認証装置１０から供給されるユーザの第１情報を取得する動作、及び、測定装置２０から供給されるユーザの第２情報を取得する動作を行うためのプログラムを実行する。また、一実施形態において、制御部３１は、認証装置１０及び測定機器２０の少なくとも一方に所定の命令を送信する動作を行うためのプログラムを実行してもよい。さらに、一実施形態において、制御部３１は、認証装置１０及び測定装置２０から供給されたユーザの第１情報及び第２情報の少なくとも一方を、管理装置４０に供給する動作を行うためのプログラムを実行する。制御部３１は、前述の各種情報を適宜処理する動作を行うためのプログラムを実行してもよい。また、制御部３１は、管理装置４０から所定の情報を受信する動作を行うためのプログラムを実行する。制御部３１が実行するプログラムは、例えば記憶部３４等の記憶媒体に格納されてよい。
【００４６】
受信部３２は、認証装置１０及び測定装置２０並びに管理装置４０の少なくともいずれかに、有線及び無線の少なくとも一方によって接続されて、所定の情報を受信する。受信部３２は、無線接続を行う場合、例えば受信アンテナ及び増幅器などの無線接続に必要な所定の機能部を含んで構成されてよい。また、受信部３２は、有線接続を行う場合、例えば認証装置１０及び測定装置２０並びに管理装置４０の少なくともいずれかに有線で接続するためのインタフェースなどを含んで構成されてよい。一実施形態において、受信部３２は、認証装置１０から、例えばユーザの第１情報を受信してよい。また、一実施形態において、受信部３２は、測定装置２０から、例えばユーザの第２情報などを受信してよい。さらに、一実施形態において、受信部３２は、管理装置４０から、所定の情報などを受信してよい。
【００４７】
送信部３３は、認証装置１０及び測定装置２０並びに管理装置４０の少なくともいずれかに、有線及び無線の少なくとも一方によって接続されて、所定の情報を送信する。送信部３３は、無線接続を行う場合、例えば送信アンテナ及びＲＦ部などの無線接続に必要な所定の機能部を含んで構成されてよい。また、送信部３３は、有線接続を行う場合、例えば認証装置１０及び測定装置２０並びに管理装置４０の少なくともいずれかに有線で接続するためのインタフェースなどを含んで構成されてよい。一実施形態において、送信部３３は、例えばユーザの第１情報及び第２情報の少なくとも一方などを、管理装置４０に送信してよい。また、一実施形態において、送信部３３は、認証装置１０及び測定装置２０の少なくとも一方に、所定の情報などを送信してよい。
【００４８】
一実施形態において、受信部３２及び送信部３３は、上述した認証装置１０の受信部１２及び送信部１３、又は測定装置２０の受信部２２及び送信部２３と同様に、各種の構成としてよい。
【００４９】
記憶部３４は、上述した認証装置１０の記憶部１４又は測定装置２０の記憶部２４と同様に、各種の構成としてよい。一実施形態において、記憶部３４は、例えば受信部３２が受信した情報を記憶してもよい。また、一実施形態において、記憶部３４は、例えば送信部３３が送信する情報を記憶してもよい。
【００５０】
図５は、一実施形態に係る管理装置４０の概略構成例を示すブロック図である。上述のように、一実施形態に係る管理装置４０は、例えば管理サーバなどのような情報処理装置としてよい。図５に示すように、一実施形態に係る管理装置４０は、制御部４１、受信部４２、送信部４３、記憶部４４、及び認証部４６を備える。
【００５１】
制御部４１は、管理装置４０の各機能ブロックをはじめとして、管理装置４０の全体を制御及び管理するプロセッサを含む。制御部４１は、例えば所定のプログラムを実行するＣＰＵ（Central Processing Unit）等のプロセッサで構成してよい。一実施形態において、制御部４１は、通信装置３０から供給される情報を取得する動作、及び、通信装置３０に供給する情報を送信する動作を行うためのプログラムを実行する。また、一実施形態において、制御部４１は、通信装置３０に所定の命令を送信する動作を行うためのプログラムを実行してもよい。制御部４１は、前述の各種情報を適宜処理する動作を行うためのプログラムを実行してもよい。制御部４１が実行するプログラムは、例えば記憶部４４等の記憶媒体に格納されてよい。
【００５２】
受信部４２は、通信装置３０に、有線及び無線の少なくとも一方によって接続されて、所定の情報を受信する。受信部４２は、無線接続を行う場合、例えば受信アンテナ及び増幅器などの無線接続に必要な所定の機能部を含んで構成されてよい。また、受信部４２は、有線接続を行う場合、例えば通信装置３０に有線で接続するためのインタフェースなどを含んで構成されてよい。一実施形態において、受信部４２は、通信装置３０から、例えばユーザの第１情報及び第２情報の少なくとも一方を受信してよい。
【００５３】
送信部４３は、通信装置３０に、有線及び無線の少なくとも一方によって接続されて、所定の情報を送信する。送信部４３は、無線接続を行う場合、例えば送信アンテナ及びＲＦ部などの無線接続に必要な所定の機能部を含んで構成されてよい。また、送信部４３は、有線接続を行う場合、例えば通信装置３０に有線で接続するためのインタフェースなどを含んで構成されてよい。一実施形態において、送信部４３は、例えばユーザの第１情報及び第２情報の少なくとも一方などを、通信装置３０に送信してよい。また、一実施形態において、送信部４３は、通信装置３０に、例えば所定の命令のなどのような、所定の情報などを送信してよい。
【００５４】
一実施形態において、受信部４２及び送信部４３は、上述した認証装置１０の受信部１２及び送信部１３、測定装置２０の受信部２２及び送信部２３、又は通信装置３０の受信部３２及び送信部３３などと同様に、各種の構成としてよい。
【００５５】
記憶部４４は、上述した認証装置１０の記憶部１４、測定装置２０の記憶部２４、又は通信装置３０の記憶部３４と同様に、各種の構成としてよい。一実施形態において、記憶部４４は、例えば受信部４２が受信した情報を記憶してもよい。また、一実施形態において、記憶部４４は、例えば送信部４３が送信する情報を記憶してもよい。
【００５６】
認証部４６は、認証装置１０によって取得されたユーザの第１情報が、予め登録されたユーザのものであるか否かを照合するなどして、当該ユーザを認証する。認証部４６は、例えば所定のプログラムを実行するＣＰＵ（Central Processing Unit）等のプロセッサで構成してよい。一実施形態において、認証部４６が実行するプログラムは、例えば記憶部４４等の記憶媒体に格納されてよい。また、認証部４６がユーザの第１情報を照合する際に用いられる予め登録されたユーザの情報も、記憶部４４等の記憶媒体に格納されてよい。予め登録されたユーザの情報は、第１情報の照合に用いられる情報の他、例えばユーザの名前、年齢、及び性別などの少なくともいずれかを含んでもよい。また、予め登録されたユーザの情報は、ユーザＩＤのようなユーザ識別情報を含んでもよい。言い換えると、それぞれの予め登録されたユーザの情報は、ユーザＩＤのようなユーザ識別情報と関連付けられることにより管理されてもよい。
【００５７】
図５に示す管理装置４０において、認証部４６は、制御部４１に含まれるものとして示してある。しかしながら、一実施形態において、認証部４６は、制御部４１と同じ機能部を用いてもよい。また、一実施形態において、認証部４６は、制御部４１とは別の部材として設けてもよい。
【００５８】
次に、一実施形態に係る通信システム１に含まれる認証装置１０、測定装置２０、通信装置３０、及び管理装置４０の動作について説明する。
【００５９】
（第１実施形態）
図６は、通信システム１に含まれる認証装置１０、測定装置２０、通信装置３０、及び管理装置４０の第１実施形態に係る動作を説明する図である。
【００６０】
図６に示す動作が開始すると、認証装置１０の制御部１１は、第１情報取得器１５から、ユーザの第１情報を取得する（ステップＳ１０１）。第１情報を取得すると、認証装置１０の制御部１１は、取得した第１情報を、認証装置１０の送信部１３から、通信装置３０の受信部３２に供給する（ステップＳ１０２）。
【００６１】
ステップＳ１０２において認証装置１０から第１情報が通信装置３０に供給されると、通信装置３０の制御部３１は、当該第１情報を、通信装置３０の送信部３３から、管理装置４０の受信部４２に送信する（ステップＳ１０３）。
【００６２】
通信装置３０から第１情報を受信したら、管理装置４０の認証部４６は、第１情報によって特定されるユーザが、予め登録されたユーザであるか否かを判定（認証）する（ステップＳ１０４）。ステップＳ１０４において、第１情報によって特定されるユーザが、予め登録されたユーザでないと判定されると、管理装置４０の制御部４１は、図６に示す動作を終了する。この場合、管理装置４０の制御部４１は、ユーザの第２情報を取得しない。また、既に取得された情報がある場合、管理装置４０の制御部４１は、当該情報を破棄又は消去などしてもよい。すなわち、管理装置４０において、登録されていないユーザの情報は収集せず、管理もしない。
【００６３】
一方、ステップＳ１０４において、管理装置４０の認証部４６は、第１情報によって特定されるユーザが、予め登録されたユーザであると判定したとする。この場合、管理装置４０の制御部４１は、ユーザの認証が成功した旨を示す通知（以下、適宜、「認証成功通知」とも記す）を、管理装置４０の送信部４３から、通信装置３０の受信部３２に送信する（ステップＳ１０５）。また、ステップＳ１０５において、管理装置４０の制御部４１は、認証された第１情報を、通信装置３０に送信してもよい。認証された第１情報は、第１情報に当該第１情報の認証が成功した旨の情報が付加されたものであってよく、第１情報の認証の成功に基づいて、管理装置４０の制御部４１が生成してもよい。また、ステップＳ１０５において、管理装置４０の制御部４１は、成功した第１情報の認証に用いられたユーザの情報に関連付けられたユーザ識別情報を、通信装置３０に送信してもよい。なお、ステップＳ１０５において通信装置３０に送信される情報は、１つには限定されない。例えば、ステップＳ１０５において、管理装置４０の制御部４１は、認証成功通知とともにユーザ識別情報を、通信装置３０に送信してもよい。以下、上述の認証成功通知及び認証された第１情報のような、第１情報の認証の成功に応じて生成される情報、又はユーザ識別情報のような、第１情報の認証の成功に応じて送信される情報を、適宜「認証済み情報」とも記す。
【００６４】
管理装置４０から認証済み情報を受信すると、通信装置３０の制御部３１は、通信装置３０の送信部３３から、測定装置２０による第２情報の取得を開始すべき旨の通知を、測定装置２０の受信部２２に供給する（ステップＳ１０６）。測定装置２０による第２情報の取得を開始すべき旨の通知は、測定装置２０の制御部２１において認識可能な任意の通知としてよい。例えば、当該通知は、測定装置２０が第２情報の取得を開始するトリガとなる所定のコマンドとしてもよい。また、当該通知は、例えば、ユーザの第１情報の認証が成功した旨の通知（例えばステップＳ１０５において送信された認証済み情報（認証成功通知、又は認証された第１情報））としてもよい。また、当該通知は、例えば、ユーザの第１情報に、当該第１情報の認証が成功した旨の情報が付加されたものとしてもよい。
【００６５】
第２情報の取得を開始すべき旨の通知を通信装置３０から受信すると、測定装置２０の制御部２１は、第２情報取得器２５から、ユーザの第２情報を取得する（ステップＳ１０７）。ステップＳ１０７において、測定装置２０の制御部２１は、第２情報取得器２５に対して、ユーザの第２情報の取得を許可してもよいし、ユーザの第２情報の取得を開始させてもよい。例えば、第２情報取得器２５が血圧計のような装置である場合、ユーザの第２情報の取得が許可されることにより、例えばユーザは腕にカフを装着してから、測定装置２０による第２情報の取得を開始してよい。また、第２情報取得器２５が例えばユーザの尿検査を行う便器のような装置である場合、ユーザの第２情報の取得を開始させることにより、第２情報取得器２５の生体センサとしての機能が起動するようにしてよい。第２情報を取得すると、測定装置２０の制御部２１は、取得した第２情報を、測定装置２０の送信部２３から、通信装置３０の受信部３２に供給する（ステップＳ１０８）。
【００６６】
測定装置２０から第２情報を受信したら、通信装置３０の制御部３１は、受信した第２情報を、通信装置３０の送信部３３から、管理装置４０の受信部４２に送信する（ステップＳ１０９）。
【００６７】
ステップＳ１０９において、通信装置３０の制御部３１は、第２情報とともに、（ステップＳ１０２において）受信した第１情報も、管理装置４０の受信部４２に送信してよい。この場合、通信装置３０の制御部３１は、既にステップＳ１０２において受信した第１情報を、そのまま第２情報に付加して、管理装置４０に送信してもよい。また、通信装置３０の制御部３１は、通信装置３０がステップＳ１０２の後も継続して第１情報を受信している場合、ステップＳ１０９の時点で受信している最新の第１情報を、第２情報に付加して、管理装置４０に送信してもよい。
【００６８】
また、ステップＳ１０９において、通信装置３０の制御部３１は、第２情報とともに、認証済み情報を、管理装置４０に送信してもよい。例えば、ステップＳ１０９において、通信装置３０は、第２情報とともに、認証された第１情報を、管理装置４０に送信してもよい。例えば、ステップＳ１０９において、通信装置３０は、第２情報とともに、ユーザ識別情報を、管理装置４０に送信してもよい。例えば、ステップＳ１０９において、通信装置３０は、第２情報とともに、認証成功通知及びユーザ識別情報を、管理装置４０に送信してもよい。
【００６９】
ステップＳ１０９の次に、管理装置４０は、予め登録されたユーザの情報と第２情報とを関連付けて記憶部４４に記憶させる（ステップＳ１１０）。ステップＳ１０９において、管理装置４０は、例えば、あるユーザの第１情報及び第２情報を受信している。この場合、管理装置４０の制御部４１は、当該第１情報と当該第２情報とを関連付けてから記憶部４４に記憶させることで、予め登録されたユーザの情報と第２情報とを関連付けて記憶部４４に記憶させることができる。あるいは、ステップＳ１０９において、管理装置４０は、例えば、あるユーザのユーザ識別情報及び第２情報を受信している。この場合、管理装置４０の制御部４１は、当該ユーザ識別情報と当該第２情報とを関連付けてから記憶部４４に記憶させる。これにより、管理装置４０の制御部４１は、予め登録されたユーザの情報と第２情報とを関連付けて記憶部４４に記憶させることができる。なお、管理装置４０は、第２情報以外の情報として、認証が成功した旨の情報が付加されていない第１情報のみを受信した場合、次のようにしてもよい。すなわち、管理装置４０は、再度第１情報の認証が成功した場合に、ステップＳ１１０の処理を実行してもよい。また、管理装置４０は、第２情報以外の情報として、ユーザ識別情報のみを受信した場合、次のようにしてもよい。すなわち、管理装置４０は、該ユーザ識別情報が第１情報の認証を行ってから初めて受信したユーザ識別情報である場合に、ステップＳ１１０の処理を実行してもよい。また、管理装置４０は、第２情報以外の情報として、ユーザ識別情報のみを受信した場合、次のようにしてもよい。すなわち、管理装置４０は、該ユーザ識別情報が第１情報の認証を行ってから所定期間内に受信したユーザ識別情報である場合に、ステップＳ１１０の処理を実行してもよい。
【００７０】
以上のように、第１実施形態に係る通信システム１によれば、ステップＳ１０１からステップＳ１１０までの動作を、典型的には複数回繰り返すことができる。ステップＳ１０１からステップＳ１１０までの動作を繰り返す頻度は、数時間に一度、毎日、数日に一度、一週間に一度、数週間に一度、１カ月に一度、数か月に一度など、適宜設定してよい。また、ステップＳ１０１からステップＳ１１０までの動作を繰り返す頻度は、測定装置２０が測定する検査項目に応じて異なるものとしてもよい。
【００７１】
第１実施形態に係る通信システム１によれば、複数のユーザで使用されたとしても、ユーザごとに第１情報による認証（本人確認）を行うことができる。したがって、誤って他人のデータが記録されるようなリスクは低減する。また、第１実施形態に係る通信システム１によれば、第１情報による認証（本人確認）が成功したユーザのみ、第２情報を収集及び蓄積することができる。したがって、第１実施形態に係る通信システム１によれば、登録されたユーザを適切に選定しつつ、登録されたユーザの健康管理を行うことができる。また、第１実施形態に係る通信システム１によれば、登録された複数のユーザ別に、ユーザごとの健康に関する情報を蓄積させることができる。このため、第１実施形態に係る通信システム１による情報を提供された医療従事者などは、各ユーザ別に適切な処理又はアドバイスなどを行うことができる。
【００７２】
（第２実施形態）
図７は、通信システム１に含まれる認証装置１０、測定装置２０、通信装置３０、及び管理装置４０の第２実施形態に係る動作を説明する図である。
【００７３】
図７に示す動作が開始すると、ステップＳ２０１及びステップＳ２０２の動作は、図６に示した第１実施形態におけるステップＳ１０１及びステップＳ１０２の動作と同様に行うことができる。
【００７４】
ステップＳ２０２において認証装置１０から第１情報が通信装置３０に供給されると、通信装置３０は、ステップＳ２０３の動作を行う。ステップＳ２０３において、通信装置３０の制御部３１は、通信装置３０の送信部３３から、測定装置２０による第２情報の取得を開始すべき旨の通知を、測定装置２０の受信部２２に供給する。測定装置２０による第２情報の取得を開始すべき旨の通知は、測定装置２０の制御部２１において認識可能な任意の通知としてよい。例えば、当該通知は、測定装置２０が第２情報の取得を開始するトリガとなる所定のコマンドとしてもよい。
【００７５】
第２情報の取得を開始すべき旨の通知を通信装置３０から受信すると、測定装置２０の制御部２１は、第２情報取得器２５から、ユーザの第２情報を取得する（ステップＳ２０４）。第２情報を取得すると、測定装置２０の制御部２１は、取得した第２情報を、測定装置２０の送信部２３から、通信装置３０の受信部３２に供給する（ステップＳ２０５）。
【００７６】
測定装置２０から第２情報を受信したら、通信装置３０の制御部３１は、受信した第２情報を、通信装置３０の送信部３３から、管理装置４０の受信部４２に送信する（ステップＳ２０６）。
【００７７】
ステップＳ２０６において、通信装置３０の制御部３１は、第２情報とともに、（ステップＳ２０２において）受信した第１情報も、管理装置４０の受信部４２に送信してよい。この場合、通信装置３０の制御部３１は、既にステップＳ２０２において受信した第１情報を、そのまま第２情報に付加して、管理装置４０に送信してもよい。また、通信装置３０の制御部３１は、通信装置３０がステップＳ２０２の後も継続して第１情報を受信している場合、ステップＳ２０６の時点で受信している最新の第１情報を、第２情報に付加して、管理装置４０に送信してもよい。
【００７８】
ステップＳ２０６において、管理装置４０は、あるユーザの第１情報及び第２情報を受信していることになる。そこで、管理装置４０の認証部４６は、第１情報によって特定されるユーザが、予め登録されたユーザであるか否かを判定（認証）する（ステップＳ２０７）。ステップＳ２０７において、第１情報によって特定されるユーザが、予め登録されたユーザでないと判定されると、管理装置４０の制御部４１は、図７に示す動作を終了する。この場合、管理装置４０の制御部４１は、ユーザの第１情報と第２情報とを関連付けない。また、管理装置４０の制御部４１は、取得された第１情報と第２情報を、破棄又は消去などしてもよい。すなわち、管理装置４０において、登録されていないユーザの情報は収集せず、管理もしない。
【００７９】
一方、ステップＳ２０７において、管理装置４０の認証部４６は、第１情報によって特定されるユーザが、予め登録されたユーザであると判定したとする。この場合、管理装置４０の制御部４１は、取得された第１情報と第２情報とを関連付けてから、例えば記憶部４４に記憶させる（ステップＳ２０８）。
【００８０】
第２実施形態に係る通信システム１によれば、複数のユーザで使用されたとしても、ユーザごとに第１情報による認証（本人確認）を行うことができる。したがって、誤って他人のデータが記録されるようなリスクは低減する。また、第２実施形態に係る通信システム１によれば、第１情報による認証（本人確認）が成功したユーザのみ、第２情報を収集及び蓄積することができる。したがって、第２実施形態に係る通信システム１によれば、第１実施形態に係る通信システム１と同様の効果を得ることができる。
【００８１】
（第３実施形態）
図８は、通信システム１に含まれる認証装置１０、測定装置２０、通信装置３０、及び管理装置４０の第３実施形態に係る動作を説明する図である。
【００８２】
図８に示す動作が開始すると、ステップＳ３０１及びステップＳ３０２の動作は、図６に示した第１実施形態におけるステップＳ１０１及びステップＳ１０２の動作と同様に行うことができる。
【００８３】
また、測定装置２０の制御部２１は、第２情報取得器２５から、ユーザの第２情報を取得する（ステップＳ３０３）。第２情報を取得すると、測定装置２０の制御部２１は、取得した第２情報を、測定装置２０の送信部２３から、通信装置３０の受信部３２に供給する（ステップＳ３０４）。
【００８４】
ステップＳ３０１及びステップＳ３０２の動作と、ステップＳ３０３及びステップＳ３０４の動作とは、逆の順序で行ってもよい。すなわち、図８においては、まず認証装置１０が第１情報を取得してから、測定装置２０が第２情報を取得している。しかしながら、図８において、まず測定装置２０が第２情報を取得してから、認証装置１０が第１情報を取得してもよい。また、図８において、認証装置１０及び測定装置２０は、それぞれ第１情報及び第２情報を、順番の前後は問わず、継続して取得してもよい。
【００８５】
ステップＳ３０４において、通信装置３０は、あるユーザの第１情報及び第２情報を受信していることになる。そこで、通信装置３０の制御部３１は、受信した第１情報及び第２情報を、通信装置３０の送信部３３から、管理装置４０の受信部４２に送信する（ステップＳ３０５）。
【００８６】
図８においては、ステップＳ３０５において、通信装置３０は、第１情報及び第２情報をまとめて管理装置４０に送信する例を示している。しかしながら、一実施形態において、通信装置３０の制御部３１は、第１情報及び第２情報を別々に、順番の前後は問わず、管理装置４０に送信してもよい。
【００８７】
ステップＳ３０５において、管理装置４０は、あるユーザの第１情報及び第２情報を受信していることになる。そこで、管理装置４０の認証部４６は、ステップＳ３０６及びステップＳ３０７の動作を、図７に示した第２実施形態におけるステップＳ２０７及びステップＳ２０８の動作と同様に行うことができる。
【００８８】
第３実施形態に係る通信システム１によれば、複数のユーザで使用されたとしても、ユーザごとに第１情報による認証（本人確認）を行うことができる。したがって、誤って他人のデータが記録されるようなリスクは低減する。また、第３実施形態に係る通信システム１によれば、第１情報による認証（本人確認）が成功したユーザのみ、第２情報を収集及び蓄積することができる。したがって、第３実施形態に係る通信システム１によれば、第１実施形態及び第２実施形態に係る通信システム１と同様の効果を得ることができる。
【００８９】
以上説明したように、上述した実施形態に係る通信システム１によれば、例えば、ユーザの健康状態の把握及び／又は管理など行うことができる。上述した実施形態に係る通信システムは、予め登録されるなどして認証されたユーザそれぞれの健康状態を、適切に把握及び／又は管理することができる。したがって、上述した実施形態に係る通信システム１によれば、利便性の高い通信装置、測定装置、及び管理装置を提供することができる。
【００９０】
本開示を諸図面及び実施例に基づき説明してきたが、当業者であれば本開示に基づき種々の変形又は修正を行うことが容易であることに注意されたい。従って、これらの変形又は修正は本開示の範囲に含まれることに留意されたい。例えば、各機能部に含まれる機能などは論理的に矛盾しないように再配置可能である。複数の機能部等は、１つに組み合わせられたり、分割されたりしてよい。上述した本開示に係る各実施形態は、それぞれ説明した各実施形態に忠実に実施することに限定されるものではなく、適宜、各特徴を組み合わせたり、一部を省略したりして実施されうる。
【００９１】
例えば、管理装置４０の認証部４６が実行する上述のステップＳ１０４、ステップＳ２０７、及びステップＳ３０６の処理は、認証装置１０の制御部１１が実行してもよい。本実施形態において、第１情報の照合に用いられる予め登録されたユーザの情報は、認証装置１０の記憶部１４に格納される。なお、本実施形態と上述の第１実施形態とを組み合わせた場合、認証装置１０は、上述のステップＳ１０２において、第１情報及び認証済み情報を、通信機器３０に送信してもよい。このとき送信される認証済み情報は、認証された第１情報を含まず、かつ、少なくともユーザ識別情報を含んでもよい。
【００９２】
例えば、上述した各実施形態は、図１に示したように、各サブシステムにおいて、認証装置１０と、測定装置２０と、通信装置３０とが、それぞれ別の動作主体であるものとして説明した。しかしながら、一実施形態において、通信装置３０は、認証装置１０を含んで構成されてもよい。この場合、通信装置３０は、例えば認証機能付きＩｏＴユニットのような通信装置とすることができる。また、一実施形態において、通信装置３０は、測定装置２０を含んで構成されてもよい。この場合、通信装置３０は、例えば生体情報取得機能付きＩｏＴユニットのような通信装置とすることができる。さらに、一実施形態において、通信装置３０は、認証装置１０及び測定装置２０を含んで構成されてもよい。この場合、通信装置３０は、例えば認証機能及び生体情報取得機能付きＩｏＴユニットのような通信装置とすることができる。
【００９３】
また、上述した実施形態は、認証装置、測定装置、通信装置、及び管理装置としての実施に限定されない。例えば、上述した実施形態は、認証装置、測定装置、通信装置、及び管理装置の通信方法として実施してもよい。また、例えば、上述した実施形態は、認証装置、測定装置、通信装置、及び管理装置を制御するコンピュータ（又はコントローラなど）に実行させるプログラムとして実施してもよい。
【００９４】
以下、上述した各実施形態に係る通信システム１に含まれる機器及び装置の特徴について、さらに記す。
【００９５】
（測定装置２０）
一実施形態に係る測定装置２０は、例えばＩｏＴユニットのような通信装置３０と有線及び無線の少なくとも一方によって通信する。
一実施形態に係る測定装置２０は、受信部２２と、第２情報取得器２５と、送信部２３と、制御部２１と、を備えている。
測定装置２０の受信部２２は、通信装置３０から被検者の第１情報の認証の成功に応じて送信される認証済み情報を受信する。
測定装置２０の第２情報取得器２５は、被検者の生体情報である第２情報を取得する。
測定装置２０の送信部２３は、第２情報取得器２５が取得した第２情報を通信装置３０に送信する。
測定装置２０の制御部２１は、認証済み情報が受信されると、第２情報を取得して、当該第２情報を通信装置３０に送信するように制御する。
【００９６】
測定装置２０の制御部２１は、第２情報が取得されると、当該第２情報を認証済み情報とともに通信装置３０に送信するように制御してよい。
【００９７】
ここで、第１情報は、被検者の生体情報であって、第２情報とは異なる情報としてよい。
【００９８】
（通信装置３０）
一実施形態に係る例えばＩｏＴユニットのような通信装置３０は、例えば管理サーバのような管理装置４０と有線及び無線の少なくとも一方によって通信する。
一実施形態に係る通信装置３０は、送信部３３と、受信部３２と、制御部３１と、を備える。
通信装置３０の送信部３３は、例えば認証装置１０のような第１情報取得器から供給された被検者の第１情報（生体情報であってもなくてもよい）を管理装置４０に送信する。
通信装置３０の受信部３２は、管理装置４０から、第１情報の認証の成功に応じて送信される認証済み情報を受信する。
通信装置３０の制御部３１は、認証済み情報が受信されると、当該認証済み情報を、例えば測定装置２０のような第２情報取得器に供給するように制御する。
【００９９】
ここで、認証済み情報は、
第１情報の認証の成功を通知する認証成功通知、
第２情報取得器が被検者の生体情報である第２情報を取得することを許可する取得許可通知、
第１情報の認証の成功を示す情報を当該第１情報に付加した認証済み第１情報、及び、
第１情報の認証に応じて送信される識別情報のうち、少なくとも１つを含んでもよい。
【０１００】
また、通信装置３０は、例えば認証装置１０のような第１情報取得器、及び、例えば測定装置２０のような第２情報取得器の少なくとも一方を備えてもよい。
【０１０１】
ここで、第１情報は、被検者の生体情報であって、第２情報とは異なる情報としてよい。
【０１０２】
（管理装置４０）
一実施形態に係る管理装置４０は、例えば管理サーバのようなサーバ装置としてよい。
一実施形態に係る管理装置４０は、例えばＩｏＴユニットのような通信装置３０と有線及び無線の少なくとも一方によって通信する。
一実施形態に係る管理装置４０は、受信部４２と、認証部４６と、送信部４３と、制御部４１と、を備える。
管理装置４０の受信部４２は、通信装置３０から被検者の第１情報及び当該被検者の生体情報である第２情報を受信する。
管理装置４０の認証部４６は、第１情報と予め登録されたユーザの情報に含まれる情報との認証を行う。
管理装置４０の送信部４３は、認証に応じて通信装置３０に認証済み情報を送信する。
管理装置４０の制御部４１は、認証済み情報を送信した後に、第２情報を受信すると、予め登録されたユーザの情報と、第２情報とを関連付けるように制御する。
【０１０３】
管理装置４０の受信部４２は、通信装置３０を介して例えば認証装置１０のような第１情報取得器から第１情報を受信してもよい。
また、管理装置４０の受信部４２は、通信装置３０を介して例えば測定装置２０のような第２情報取得器から第２情報を受信してもよい。
【０１０４】
管理装置４０の認証部４６は、第１情報の認証の成功に応じて、当該第１情報を含む認証済み情報を生成してもよい。
【０１０５】
ここで、第１情報は、被検者の生体情報であって第２情報とは異なる情報としてよい。
【符号の説明】
【０１０６】
１  通信システム
１０  認証装置
１１  制御部
１２  受信部
１３  送信部
１４  記憶部
１５  第１情報取得器
２０  測定装置
２１  制御部
２２  受信部
２３  送信部
２４  記憶部
２５  第２情報取得器
３０  通信装置
３１  制御部
３２  受信部
３３  送信部
３４  記憶部
４０  管理装置
４１  制御部
４２  受信部
４３  送信部
４４  記憶部
４６  認証部
【図１】
2020123067.tif 000003
【図２】
2020123067.tif 000004
【図３】
2020123067.tif 000005
【図４】
2020123067.tif 000006
【図５】
2020123067.tif 000007
【図６】
2020123067.tif 000008
【図７】
2020123067.tif 000009
【図８】
2020123067.tif 000010